(57)【要約】      （修正有）【課題】ライト本体とハンガーフックを合わせて取り付けて通電照明ができるとともに、ライトを上に上げて、容易に外すことができ、修理に便利な風力給電の街灯を提供する。【解決手段】台座及び台座に固定された支持ポール、ポールのトップ部に近い位置の外輪に二つ以上のハンガーフックが設けられ、ハンガーフックの一端にライトがあり、ライトの内部にランプケットを設置し、ランプケット内に光源が配置され、ハンガーフックのトップには給電ステーションが設置され、ライトのトップには長方形の接続ブロックが設置され、接続ブロックにはハンガーフックと合わせるためのサスペンション溝があり、サスペンション溝の内部にコンセントが設置され、コンセントの穴底部に給電ステーションと合わせるためのプラグが設置され、プラグがコンセントと接続される。【選択図】図１
0003206510.tif 000002
【実用新案登録請求の範囲】
【請求項１】
風力給電の街灯において、
台座及びその台座に固定された支持ポール、そのポールのトップ部に近い位置の外輪に二つ以上のハンガーフックが設けられ、そのハンガーフックの一端はライトがあり、そのライトの内部にランプケットを設置してあり、そのランプケット内に光源が配置され、そのハンガーフックのトップには給電ステーションが設置してあり、そのライトのトップには長方形の接続ブロックが設置してあり、その接続ブロックにはハンガーフックと合わせるためのサスペンション溝があり、そのサスペンション溝の内部にコンセントが設置してあり、そのコンセントはその給電ステーションと合わせ、そのコンセントの穴の底部にその給電ステーションと合わせるためのプラグが設置してあり、そのプラグはそのランプスタンドと繋げ、そのスタンドの内部にはバッテリが設置してあり、そのポールのトップ部に発電機が設けてあり、その発電機のトップ部に集風装置が設けてあり、その集風装置とその発電措置とを接続し、その発電機とそのバッテリとを通電で繋げる
ことを特徴とする風力給電の街灯。
【考案の詳細な説明】
【技術分野】
【０００１】
本実用新型は一種の風力給電の街灯に関連する。
【背景技術】
【０００２】
住宅地区の街灯使用頻度が比較的高い、既存の技術では、住宅地区の街灯が高く取り付けられるため、コードを連続するには面倒くさいし、メンテナンスで外すにも複雑である。
【考案の概要】
【考案が解決しようとする課題】
【０００３】
本実用新型が解決する必要な問題は、一種の取り付け易い街灯を提供すること。本措置は取り付ける前にコードを繋げて、ライト本体とハンガーフックを合わせて取り付けたら通電照明できる、もしばらして改修の必要な場合は、ライトを上に上げて、外すことができ、外すことが易い、修理するにも便利である。
【課題を解決するための手段】
【０００４】
以上の問題を解決するために、本実用新型は以下の技術案を採用する。一種の風力給電の街灯、台座及びその台座に固定された支持ポール、そのポールのトップ部に近い位置の外輪に二つ以上のハンガーフックが設けられ、そのハンガーフックがポールち離れている一端はライトがあり、そのライトの内部にランプケットを設置してあり、そのランプケット内に光源が配置され、そのハンガーフックのトップには給電ステーションが設置してあり、そのライトのトップには長方形の接続ブロックが設置してあり、その接続ブロックにはハンガーフックと合わせるためのサスペンション溝があり、そのサスペンション溝の内部にコンセントが設置してあり、そのコンセントはその給電ステーションと合わせ、そのコンセントの穴底部にその給電ステーションと合わせるためのプラグが設置してあり、そのプラグはそのランプスタンドと繋げる、そのスタンドの内部バッテリが設置してあり、そのポールのトップ部に発電機が設けてあり、その発電機のトップ部に集風装置が設けてあり、その集風装置とその発電措置と接続し、その発電機とそのバッテリと通電で繋げる。
【０００５】
優秀な技術案として、そのポールのトップには飾り帽子が設置してあり、そのポールは中空のロッドである。
【０００６】
優秀な技術案として、その給電ステーションはそのコンセントと合わせてセットしてあり、その給電ステーションとそのコンセントの間は密閉される。
【０００７】
優秀な技術案として、その光源はLED光源である。
【考案の効果】
【０００８】
本実用新型の有益な効果は：本措置は取り付ける前にコードを繋げて、ライト本体とハンガーフックを合わせて取り付けたら通電照明できる、もしばらして改修の必要な場合は、ライトを上に上げて、外すことができ、外すことが易い、修理するにも便利である。本措置の構造は簡単で、コストが低い、普及することに相応しい。
【図面の簡単な説明】
【０００９】
【図１】本実用新型の構造見取り図。
【図２】ライトとハンガーフックのセット取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１と図面２に示された一種の取り付け易い街灯を参考してください、台座1及びその台座1に固定された支持ポール2、そのポール2のトップ部に近い位置の外輪に二つ以上のハンガーフック3が設けられ、そのハンガーフック3がポール2ち離れている一端はライト4があり、そのライト4の内部にランプケット（図面なし）を設置してあり、そのランプケット内に光源（図面なし）が配置され、そのハンガーフック３のトップには給電ステーション5が設置してあり、そのライト2のトップには長方形の接続ブロック6が設置してあり、その接続ブロック6にはハンガーフック3と合わせるためのサスペンション溝601があり、そのサスペンション溝601の内部にコンセント602が設置してあり、そのコンセント６０２はその給電ステーション５と合わせ、そのコンセント602の穴底部にその給電ステーション5と合わせるためのプラグ611が設置してあり、そのプラグ６１１はそのランプスタンドと繋げる。そのスタンド１の内部バッテリ101が設置してあり、そのポール２のトップ部に発電機202が設けてあり、その発電機202のトップ部に集風装置203が設けてあり、その集風装置203とその発電措置２０２んと接続し、その発電機202とそのバッテリ101と通電で繋げる。
【００１２】
本実用新型の一つの好ましい実施例として、そのポール４のトップには飾り帽子411が設置してあり、そのポール4は中空のロッドである。
【００１３】
本実用新型の一つの好ましい実施例として、その給電ステーション５はそのコンセント602と合わせてセットしてあり、その給電ステーション５とそのコンセント602の間は密閉される。
【００１４】
本実用新型の一つの好ましい実施例として、その光源はLED光源である。
【００１５】
本実用新型の有益な効果は：本措置は取り付ける前にコードを繋げて、ライト本体とハンガーフックを合わせて取り付けたら通電照明できる、もしばらして改修の必要な場合は、ライトを上に上げて、外すことができ、外すことが易い、修理するにも便利である。本措置の構造は簡単で、コストが低い、普及することに相応しい。
【００１６】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206510.tif 000003
【図２】
0003206510.tif 000004
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
風力給電の街灯において、
台座及びその台座に固定された支持ポール、そのポールのトップ部に近い位置の外輪に二つ以上のハンガーフックが設けられ、そのハンガーフックの一端はライトがあり、そのライトの内部にランプケットを設置してあり、そのランプケット内に光源が配置され、そのハンガーフックのトップには給電ステーションが設置してあり、そのライトのトップには長方形の接続ブロックが設置してあり、その接続ブロックにはハンガーフックと合わせるためのサスペンション溝があり、そのサスペンション溝の内部にコンセントが設置してあり、そのコンセントはその給電ステーションと合わせ、そのコンセントの穴の底部にその給電ステーションと合わせるためのプラグが設置してあり、そのプラグはランプスタンドと繋げ、そのランプスタンドの内部にはバッテリが設置してあり、そのポールのトップ部に発電機が設けてあり、その発電機のトップ部に集風装置が設けてあり、その集風装置とその発電機とを接続し、その発電機とそのバッテリとを通電で繋げる
ことを特徴とする風力給電の街灯。